(57)【要約】【課題】支点部及び調整ネジの間にバネを配置すると、バネによる付勢力がミラー保持部材にもモーメントとして作用する。【解決手段】ミラー４を保持するミラー保持部材３を、マウント部材２に、支点部８により傾動自在にかつ調整ネジ６により傾動角を調整自在に支持する。該調整ネジ６及び支点部８と一軸上に、前記ミラー保持部材３をマウント部材２に向けて付勢する圧縮バネ１０，１１を備えた座１２，１３を配置する。【選択図】図１
2012247568.tif 000002
【特許請求の範囲】
【請求項１】
ミラーを一体的に保持するミラー保持部材と、
該ミラー保持部材に対向配置されるマウント部材と、
前記ミラー保持部材を前記マウント部材に対して傾動自在に支持する支点部と、
前記ミラー保持部材及び前記マウント部材のいずれか一方に螺合され、他方に先端が当接して、前記マウント部材に対する前記ミラー保持部材の傾動角を調整する調整ネジと、
前記ミラー保持部材と前記マウント部材とが、前記支点部及び前記調整ネジを介して当接するように付勢する付勢部材と、
を備えてなるミラーホルダにおいて、
前記付勢部材が、前記支点部及び前記調整ネジと一軸上に配置されてなる、
ことを特徴とするミラーホルダ。
【請求項２】
前記調整ネジが螺合されている、前記マウント部材及び前記ミラー保持部材のいずれか一方に、前記付勢部材を支持する座を一体に設け、
該座と前記マウント部材及び前記ミラー保持部材のいずれか他方との間に、前記付勢部材をその付勢力に抗するように配置し、
前記座と前記付勢部材と前記調整ネジ又は前記支点部とが一軸上に配置されてなる、
請求項１記載のミラーホルダ。
【請求項３】
前記調整ネジの先端から、前記マウント部材及び前記ミラー保持部材のいずれか他方を貫通して延出するロッドに座を設け、
該座と前記マウント部材及び前記ミラー保持部材のいずれか他方との間に、前記付勢部材をその付勢力に抗して配置し、
前記座と前記付勢部材と前記調整ネジが一軸上に配置されてなる、
請求項１記載のミラーホルダ。
【請求項４】
前記支点部から、前記マウント部材及び前記ミラー保持部材の少なくとも一方を貫通して延出するロッドに座を設け、
該座と前記マウント部材及び前記ミラー保持部材の少なくとも一方との間に、前記付勢部材をその付勢力に抗するように配置し、
前記座と前記付勢部材と前記支点部とが一軸上に配置されてなる、
請求項１記載のミラーホルダ。
【請求項５】
前記付勢部材が圧縮バネである、
請求項１ないし４のいずれか記載のミラーホルダ。
【請求項６】
前記座における前記付勢部材の反対側からロックボルトを螺合し、該座と前記マウント部材及び前記ミラー保持部材のいずれか他方との間を前記ロックボルトで固定してなる、
請求項２記載のミラーホルダ。
【請求項７】
前記付勢部材が吸着方向に付勢される磁石からなり、
該磁石が、前記マウント部材及び前記ミラー保持部材のいずれか他方に配置されて前記調整ネジの先端を吸着すると共に、前記マウント部材及び前記ミラー保持部材の少なくとも一方に配置されて前記支点部を吸着してなる、
請求項１記載のミラーホルダ。
【発明の詳細な説明】
【技術分野】
【０００１】
本発明は、例えばレーザ発振器などの光学装置において、ミラーを保持するミラーホルダに係り、詳しくは、ミラーの傾動角を調整する機構に関する。
【背景技術】
【０００２】
一般に、レーザ発振器は、相対向して配置された全反射ミラー及び出力ミラーの間にレーザ媒体を設け、該レーザ媒体に励起光を照射して得られた光をミラー間で反射増幅させた後、その一部を出力ミラーによりレーザ光として取り出している。
【０００３】
このようなレーザ発振器においては、上述した一対のミラーの平行度を保つと共に安定したレーザ出力を得るために、ミラーを保持しその傾動角を調整可能なミラーホルダが知られている。この種のミラーホルダは、レーザ発振器等の光学装置のベースに固定されるマウント部材と、ミラーを一体に保持して上記マウント部材に対して傾動自在に支持されたミラー保持部材と、を有し、上記マウント部材とミラー保持部材との間にネジ機構を設け、複数の調整ネジの進退運動によって上記マウント部材に対するミラーの傾きを調整している（特許文献１、２参照）。
【０００４】
特許文献１記載のものは、図７（Ａ）及び（Ｂ）に示すように、マウント部材１０１とミラー１０２を備えたミラー保持部材１０３とを引張コイルバネ１０４で接続し、該引張コイルバネ１０４の付勢力に抗して調整ネジ１０５を進退させることで、ミラー１０２のマウント部材１０１に対する傾動角を調整する。
【０００５】
特許文献２記載のものは、マウント部材に圧縮バネの圧縮応力を受ける係止部を設け、連結ネジが上記圧縮バネ、マウント部材、及びミラー保持部材を順に貫通して、上記マウント部材が上記ミラー保持部材に付勢されると共に接続され、該圧縮バネの付勢力に抗して調整ネジを進退させてマウント部材に対するミラーの傾動角を調整する。
【先行技術文献】
【特許文献】
【０００６】
【特許文献１】特開２００２−２１８３５号公報
【特許文献２】特開２００７−１５６２０４号公報
【発明の概要】
【発明が解決しようとする課題】
【０００７】
上記のように、特許文献１及び２記載のものは、マウント部材１０１とミラー１０２を保持するミラー保持部材１０３とを引張コイルバネ１０４や圧縮バネといった付勢部材を用いて接続及び保持する構造となっているが、何れも付勢部材１０４が、ミラー保持部材１０３をマウント部材１０１に対して傾動自在に支持する支点１０６と調整ネジ１０５との間に位置している（図７（Ａ）及び（Ｂ）参照）。この場合、特許文献１記載のもののように、引張バネ１０４の強い付勢力がミラー保持部材１０３に作用すると、該ミラー保持部材１０３が撓み、該ミラー保持部材１０３に保持されたミラー１０２の角度を正確に設定することが困難となって、例えばレーザ発振器等の光学装置における相対向して配置されるミラー間での反射増幅に重要な平面度を損なう虞がある（図８参照）。
【０００８】
上記マウント部材に圧縮バネの圧縮応力を受ける係止部を設けた特許文献２記載のものも、上記マウント部材にある係止部だけでなく、上記連結ネジを介してミラー保持部材にも圧縮バネの付勢力が作用するので、上記ミラー保持部材に装着されたミラーが撓む虞がある。
【０００９】
なお、マウント部材とミラー保持部材を接続する付勢部材には、例えば調整ネジを動かして上記マウント部材に対するミラーの傾動角を調整する場合において、ブレなくミラーを保持するために強い付勢力が必要であるので、付勢力の弱い付勢部材に換えることはできない。
【００１０】
また、支点と調整ネジの間に付勢部材を配置する必要から小型化に制限があった。
【００１１】
そこで、本発明は、ミラーを保持するミラー保持部材が撓むことなく、傾動可能に構成したミラーホルダを提供することを目的とする。
【課題を解決するための手段】
【００１２】
本発明は、ミラー（４）を一体的に保持するミラー保持部材（３）と、
該ミラー保持部材（３）に対向配置されるマウント部材（２）と、
前記ミラー保持部材（３）を前記マウント部材（２）に対して傾動自在に支持する支点部（８）と、
前記ミラー保持部材（３）及び前記マウント部材（２）のいずれか一方に螺合され、他方に先端が当接して、前記マウント部材（３）に対する前記ミラー保持部材（２）の傾動角を調整する調整ネジ（６）と、
前記ミラー保持部材（３）と前記マウント部材（２）とが、前記支点部（８）及び前記調整ネジ（６）を介して当接するように付勢する付勢部材（１０，１１），（１０１，１１１）と、
を備えてなるミラーホルダ（１）において、
前記付勢部材（１０，１１），（１０１，１１１）が、前記支点部（８）及び前記調整ネジ（６）と一軸上に配置されてなる、
ことを特徴とするミラーホルダ（１）にある。
【００１３】
なお、支点部は、ボール（８）でも、マウント部材（２）及びミラー保持部材（３）のいずれか一方（例えばマウント部材）に螺合したネジの先端に設けた半球状の当接部でもよい。また、付勢部材は、圧縮バネ等のバネでも、互いに反発又は吸引する磁石でもよい。
【００１４】
例えば図１を参照して、前記調整ネジ（６）が螺合されている、前記マウント部材（２）及び前記ミラー保持部材（３）のいずれか一方に、前記付勢部材（１０，１１）を支持する座（１２，１３）を一体に設け、
該座（１２，１３）と前記マウント部材（２）及び前記ミラー保持部材（３）のいずれか他方との間に、前記付勢部材（１０，１１）をその付勢力に抗するように配置し、
前記座（１２，１３）と前記付勢部材（１０，１１）と前記調整ネジ（６）又は前記支点部（８）とが一軸上に配置されてなる。
【００１５】
なお、調整ネジ（６）は、マウント部材（２）に螺合されて、その先端の当接部（５）がミラー支持部材（３）に当接することが好ましいが、逆でもよい。
【００１６】
例えば図３を参照して、前記調整ネジ（６）の先端から、前記マウント部材（２）及び前記ミラー保持部材（３）のいずれか他方を貫通して延出するロッド（１４）に座（１２）を設け、
該座（１２）と前記マウント部材（２）及び前記ミラー保持部材（３）のいずれか他方との間に、前記付勢部材（１０）をその付勢力に抗して配置し、
前記座（１２）と前記付勢部材（１０）と前記調整ネジ（６）が一軸上に配置されてなる。
【００１７】
例えば図３を参照して、前記支点部（８）から、前記マウント部材（２）及び前記ミラー保持部材（３）の少なくとも一方を貫通して延出するロッド（１５）に座（１３）を設け、
該座（１３）と前記マウント部材（２）及び前記ミラー保持部材（３）の少なくとも一方との間に、前記付勢部材（１１）をその付勢力に抗するように配置し、
前記座（１３）と前記付勢部材（１１）と前記支点部（８）とが一軸上に配置されてなる。
【００１８】
なお、支点部が上述したネジ先端の半球状の当接部により構成される場合、上記ロッド（１５）は、前記当接部に接する側の前記マウント部材（２）又は前記ミラー保持部材（３）（例えばミラー保持部材）を貫通して延びる１個で足りる。
【００１９】
例えば図１及び図３を参照して、前記付勢部材（１０，１１）は、圧縮バネであることが好ましいが、互いに反発する１対の磁石でもよい。
【００２０】
例えば図６を参照して、前記座（１２，１３）における前記付勢部材（１０，１１）の反対側からロックボルト（２０）を螺合し、該座（１０，１１）と前記マウント部材（２）及び前記ミラー保持部材（３）のいずれか他方との間を前記ロックボルト（２０）で固定してなる。
【００２１】
例えば図４を参照して、前記付勢部材が吸着方向に付勢される磁石（１０１，１１１）からなり、
該磁石（１０１，１１１）が、前記マウント部材（２）及び前記ミラー保持部材（３）のいずれか他方に配置されて前記調整ネジ（６）の先端を吸着すると共に、前記マウント部材（２）及び前記ミラー保持部材（３）の少なくとも一方に配置されて前記支点部（８）を吸着してなる。
【００２２】
なお、上記カッコ内の符号は、図面と対照するためのものであるが、これにより特許請求の範囲の記載に何等影響を及ぼすものではない。
【発明の効果】
【００２３】
請求項１に係る本発明によると、ミラー保持部材とマウント部材は支点部及び調整ネジを介して当接し、該支点部及び調整ネジと一軸上に付勢力が作用するので、該付勢力により、ミラー保持部材が撓むことがなく、比較的強い付勢力でミラー保持部材を保持するものでありながら、ミラーを高い精度に保持することができる。これによって、例えばレーザ発振器等の光学装置において、安定したレーザ出力を得ることができる。また、前記支点部及び調整ネジと一軸上に付勢部材を設けたので、調整ネジと支点部の間を詰めることができ、小型化が可能になる。
【００２４】
請求項２に係る本発明によると、調整ネジが螺合されているマウント部材及びミラー保持部材のいずれか一方に、付勢部材を支持する座を、付勢部材と上記調整ネジ又は支点部とが一軸上かつ一体に設けたので、ミラーの高い平面度を維持すると共に、構造が簡単で信頼性がある。
【００２５】
請求項３及び請求項４に係る本発明によると、上記座を設けるために、調整ネジが螺合されているマウント部材及びミラー保持部材のいずれか一方が、例えばそれらのいずれか他方を囲むようにして延設する必要がないので、更なる小型化が可能になる。
【００２６】
請求項５に係る本発明によると、付勢部材が圧縮バネであるので、比較的簡易な構造で、安定してミラー保持部材を保持することができる。
【００２７】
請求項６に係る本発明によると、付勢部材と調整ネジ又は支点部と一軸上で、マウント部材及びミラー保持部材のいずれか他方がロックボルト及び上記調整ネジによって挟持されるので、ミラーの平面度は維持したままでマウント部材にミラー保持部材を確実に固定することができる。
【００２８】
請求項７に係る本発明によると、調整ネジ又は支点部と一軸上に配置される付勢部材が磁石からなり、上記調整ネジ及び支点部を吸着するので、ミラーの平面度は維持したままで、簡易でコンパクトな構造でマウント部材に対するミラー保持部材の傾動角を調整することができる。
【図面の簡単な説明】
【００２９】
【図１】本発明の第１の実施の形態に係るミラーホルダを示す図であって、（Ａ）は正面図、（Ｂ）は側部断面図である。
【図２】図１（Ｂ）における、ミラーホルダに作用する付勢力の関係を示す模式図。
【図３】本発明の第２の実施の形態に係るミラーホルダを示す図であって、（Ａ）は正面図、（Ｂ）は側部断面図である。
【図４】本発明の第３の実施の形態に係るミラーホルダを示す図であって、（Ａ）は正面図、（Ｂ）は側部断面図である。
【図５】本発明の第４の実施の形態に係るミラーホルダを示す図であって、（Ａ）は正面図、（Ｂ）は側部断面図である。
【図６】本発明の第５の実施の形態に係るミラーホルダを示す図であって、（Ａ）は正面図、（Ｂ）は側部断面図である。
【図７】本発明の従来技術に係る実施例の一例を示し、（Ａ）が正面図、（Ｂ）が側面図である。
【図８】図７（Ｂ）における、ミラーホルダに作用する付勢力の関係を示す模式図である。
【発明を実施するための形態】
【００３０】
以下、図面に沿って、本発明の実施の形態に係るミラーホルダについて説明する。
【００３１】
（第１の実施の形態）
図１（Ａ）及び（Ｂ）に示すように、第１の実施の形態によるミラーホルダ１は、例えば図示されないレーザ発振器のベース部分に固定される側面視略々コ字状のマウント部材２と、該マウント部材２のコ字部内に対向配置されて、該マウント部材２に対して後述のごとく傾動自在に支持されるミラー保持部材３と、を有する。該ミラー保持部材３は、上記マウント部材２の反対側にミラー４を装着する。
【００３２】
上記マウント部材２には、上記ミラー保持部材３の反対側から、先端に半球状の当接部５，５を有する２本の調整ネジ６，６が螺合され、該調整ネジ６，６の先端の当接部５，５は上記ミラー保持部材３を押圧する。該ミラー保持部材３は、押圧される面に受部７を有し、該受部７は硬度の高い材料からなり上記当接部５が嵌合するように凹部を形成する。
【００３３】
なお、本実施例においては２本の調整ネジを配置したが、２本以上でもよく、調整ネジと一軸上の部材は２本の調整ネジにおいて互いに同一なので、一方の調整ネジ及びそれと一軸上の部材のみを説明して、他方の説明は省略する。
【００３４】
正面視（図１（Ａ）参照）において、上記調整ネジ６，６が配置されている位置から延びる線が直交する位置にボール８が設けられ、該ボール８は、上記マウント部材２及びミラー保持部材３に挟持されている。上記マウント部材２及びミラー保持部材３の上記ボール８と当接する位置において、断面三角形状のすり鉢形状からなる窪部９が形成され、上記ボール８は、上記窪部９に位置決めされて上記ミラー保持部材３を傾動自在に支持する支点部を構成する。
【００３５】
また、上記マウント部材２は、上記ミラー保持部材３が調整ねじ６又はボール８とで挟持するように、かつ上記調整ネジ６又は上記ボール８と一軸上に圧縮バネ１０，１１を係止する座１２，１３を一体に設ける。該座１２，１３とミラー保持部材３との間に圧縮バネ１０，１１が縮されており、調整ネジ６と同一軸線上に配置された圧縮バネ１０は、ミラー保持部材の受部７を調整ネジ６の先端の当接部５に当接するように付勢し、支点部であるボール８の正面図における中心点と同一軸線上に配置された圧縮バネ１１は、ミラー保持部材をボール８に当接するように付勢して、ミラー保持部材３をマウント部材２に一体に支持している。
【００３６】
なお、上記座１２，１３は、上記マウント部材２と一体加工しても、別部材で取付けてもよい。
【００３７】
なお、上記座１２，１３及びそれらとの上記ミラー保持部材３の対向面に配置される付勢部材である圧縮バネ１０，１１の代わりに、互いに反発する磁石を備えてもよい。
【００３８】
本実施の形態は、以上のような構成からなるので、ミラーホルダ１は、上記座１２に係止された圧縮バネ１０が、上記ミラー保持部材３を上記調整ネジ６の先端の当接部５に付勢し、該付勢力に抗するように調整ネジ６を回転して上記ミラー保持部材３を押圧することで、上記圧縮バネ１１によりマウント部材２とミラー保持部材３との間で位置決め・挟持された上記ボール８を支点として、上記マウント部材２に対する上記ミラー４と一体の上記ミラー保持部材３の傾動角を調整する。
【００３９】
また、上記当接部５又はボール８と上記圧縮バネ１０，１１は、圧縮バネの作用線上にて一軸上に配置され、図２に示すように、圧縮バネ１０，１１による付勢力Ｘが上記ミラー保持部材３を介して上記当接部５及びボール８に作用するので、上記ミラー保持部材３が該付勢力により撓むことがなく、上記ミラー４の高い平面度を維持したまま、該ミラー４の上記マウント部材に対する傾動角を調整することができる。
【００４０】
（第２の実施の形態）
ついで、図３（Ａ）及び（Ｂ）に沿って、第２の実施の形態について説明するが、上記第１の実施の形態と重複する部分については、図に同一符号を付して説明を省略する。
【００４１】
本実施の形態は、第１の実施の形態における上記座１２の代わりに、上記当接部５から上記ミラー保持部材３を貫通してロッド１４を延出して設け、該ロッド１４の先端に座１２を設ける。更に、上記支点となるボール８から両側に、上記マウント部材２及び上記ミラー保持部材３を貫通するロッド１５，１５を延出して設け、各ロッド１５，１５の先端に座１３，１３を設ける。上記座１２，１３，１３に圧縮バネ１０，１１，１１を係止する。
【００４２】
なお、上記支点は、上述したボールに限らず、上記マウント部材２及びミラー保持部材３のいずれか一方（例えばマウント部）に螺合したネジの先端に形成した半球状の当接面でもよく、この場合、上記支点となるボール８の両側から延びるロッド１５，１５は、上記ネジが螺合していない他方の側（例えばミラー保持部材）にのみに延びるもので足りる。
【００４３】
なお、上記座１２，１３，１３及びそれらとの上記ミラー保持部材３及び上記マウント部材２の対向面に、互いに反発する磁石を備えてもよい。
【００４４】
本実施の形態は、以上のような構成からなるので、ミラーホルダ１は、上記座１２，１３，１３に係止された圧縮バネ１０，１１，１１が、上記マウント部材２及びミラー保持部材３を上記当接部５及びボール８に付勢し、該付勢力に抗するように調整ネジ６を回転して上記ミラー保持部材を押圧する。これにより、上記圧縮バネ１１，１１によりマウント部材２とミラー保持部材３との間で位置決め・挟持された上記ボール８を支点として、上記マウント部材に対する上記ミラー４と一体の上記ミラー保持部材３の傾動角を調整する。この場合も上記第１の実施の形態と同様に、圧縮バネ１０，１１等の付勢部材によりミラー保持部材３が撓むことはない。
【００４５】
（第３の実施の形態）
ついで、図４（Ａ）及び（Ｂ）に沿って、第３の実施の形態について説明するが、上記第２の実施の形態と重複する部分については、図に同一符号を付して説明を省略する。
【００４６】
本実施の形態は、付勢部材として、圧縮バネ１０，１１，１１に代わり、磁石を設けたものである。
【００４７】
ミラーホルダ１は、上記調整ネジ６の先端の当接部５が磁性体からなり、かつ上記ミラー保持部材３には、上記当接部５に当接する受部７を挟むようにして磁石１０１を配置する。
【００４８】
また、上記マウント部材２及びミラー保持部材３に、上記ボール８が挟持されるように互いに吸着する磁石１１１，１１１を配置する。該磁石１１１，１１１には、断面三角形状のすり鉢形状からなる窪部９，９が形成され、上記ボール８は、上記窪部９，９に位置決めされて上記ミラー保持部材３を傾動自在に支持する支点部を構成する。
【００４９】
上記磁石１０１は、受部７を介して調整ネジ６の先端の当接部５を吸引し、上記磁石１１１、１１１は、支点部となるボール８を挟んで互いに吸引して、ミラー保持部材３をマウント部材２に支持する付勢部材を構成し、上記磁石１０１は、調整ネジ６の軸線と同一軸上に配置され、上記磁石１１１、１１１は、支点部であるボール８の正面図における中心点と同一軸上に配置されている。
【００５０】
本実施の形態は、以上のような構成からなるので、ミラーホルダ１は、上記当接部５と磁石１０１、及び上記磁石１１１，１１１が互いに吸着し、上記調整ネジ６を回転して上記ミラー保持部材３を押圧することで、上記窪部９，９に位置決め・挟持された上記ボール８を支点として、上記マウント部材２に対する上記ミラー保持部材３の傾動角を調整する。この際、先の実施の形態と同様に、各磁石１０１、１１１、１１１の吸引方向（付勢方向）が調整ネジ６及び支点部８の当接方向と同一軸線に位置して、ミラー保持部材３は、上記磁石の吸引力がモーメントとして作用することはない。
【００５１】
（第４の実施の形態）
ついで、図５（Ａ）及び（Ｂ）に沿って、第４の実施の形態について説明するが、上記第１の実施の形態と重複する部分については、図に同一符号を付して説明を省略する。
【００５２】
本実施の形態は、第１の実施の形態において、上記マウント部材２に対する上記ミラー保持部材３の傾動角を一度所定の角度に設定したときに、その角度で上記ミラー保持部材３を固定するためのロック部材を追加したものである。
【００５３】
ミラーホルダ１において、ミラー保持部材３は、正面視上記ミラー４の中心と同軸上におけるマウント部材２側にネジ孔１６を形成し、マウント部材２の上記ネジ孔１６に対向する位置に丸孔１７を形成する。そして、丸孔１７を貫通してネジ孔１６に螺合し得るロックボルト１８を備える。
【００５４】
本実施の形態は、上記マウント部材２に対する上記ミラー４と一体の上記ミラー保持部材３の傾動角を調整した状態で、上記ロックボルト１８を、マウント部材２側から上記丸孔１７を貫通してネジ孔１６に螺合する。これにより、ロックボルト１８が、該ロックボルト１８の頭部１８ａとネジ孔１６との間で、ミラー保持部材３をマウント部材２にロックされて、ミラー４は、上記調整された位置に維持される。
【００５５】
（第５の実施の形態）
ついで、図６（Ａ）及び（Ｂ）に沿って、第５の実施の形態について説明するが、上記第４の実施の形態と重複する部分については、図に同一符号を付して説明を省略する。
【００５６】
本実施の形態は、第４の実施の形態において、上記ロックボルト１８が、正面視上記ミラー４の中心と同軸上に上記ミラー保持部材３と螺合するために、強く締めると該ミラー保持部材３が撓む虞があることから、該ミラー保持部材３の撓みを避けつつ、ロックを達成するものである。
【００５７】
ミラーホルダ１は、上記座１２，１３にネジ孔１９，１９を形成する。そして、ロックボルト２０，２０を、上記圧縮バネ１０，１１の反対側から上記ネジ孔１９，１９に螺合して、上記圧縮バネ１０，１１の中心を貫通してその先端を上記ミラー保持部材３に押圧する。
【００５８】
本実施の形態は、以上のような構成からなるので、ミラーホルダ１は、上記ロックボルト２０，２０を上記座１２，１３のネジ孔１９，１９に螺合していない状態で、上記調整ネジ６を回転して、上記ミラー保持部材３の傾動角を調整する。この状態で、上記座１２，１３のネジ孔１９，１９に上記ロックボルト２０，２０を螺合し、上記調整ネジ６及びボール８と一軸上でそれらの反対側から上記ミラー保持部材３を押圧して、上記ミラー保持部材３を撓むことなく固定する。この状態では、ロックボルト２０，２０の締付力は、調整ネジ６及び支点であるボール８と同一線上に作用するので、ミラー保持部材３が撓むことはない。
【００５９】
なお、上述した実施の形態は、調整ネジ６をマウント部材２に螺合して配置したが、該調整ネジをミラー保持部材３に螺合して、該調整ネジの先端をマウント部材２に当接して上記ミラー保持部材３の傾動角を調整自在に設けてもよい。
【符号の説明】
【００６０】
１      ミラーホルダ
２      マウント部材
３      ミラー保持部材
４      ミラー
６      調整ネジ
８      ボール（支点部）
１０，１１      圧縮バネ
１０１，１１１      磁石
１２，１３      座
１４，１５      ロッド
１８，２０      ロックボルト
【図１】
2012247568.tif 000003
【図２】
2012247568.tif 000004
【図３】
2012247568.tif 000005
【図４】
2012247568.tif 000006
【図５】
2012247568.tif 000007
【図６】
2012247568.tif 000008
【図７】
2012247568.tif 000009
【図８】
2012247568.tif 000010